(57)【要約】【課題】挿着されたカードＣを確実に保持、固定する共に製作が容易で、その出し入れが簡便なカード用収納体Ｐを提供する。【課題を解決するための手段】カバー体１の左側端部と底部を略Ｌ字状に、右側端部と底部を逆略Ｌ字状にそれぞれ高周波等により溶着２及び２’（ハッチング部分）して形成するものであり、２ａは、カードＣの挿入用の開口部で、２ｂ、２’ｂは直線部で、２ｃ、２’ｃはテーパ状の導入部でカードＣが円滑に当接部２ｄ及び２’ｄに到達するように形成され、カードＣの外周端面Ｃｄ、Ｃ’ｄは、上記の当接部２ｄ及び２’ｄでそれぞれ適度に圧接されると共に、カードＣの上面Ｃａはカバー体１の内面１ａと接合し、カードＣは収納体Ｐに確実に保持される。【選択図】  図４
2004188153.tif 000002
【特許請求の範囲】
【請求項１】
比較的厚みのあるカード用の略矩形状収納体であって、
略三辺を基体に閉塞して一辺を開口部とし、
閉塞した相対する二辺の内側面に、挿入カードの外周面と接触し、これを保持する当接部を形成したことを特徴とする、カード用収納体。
【請求項２】
前記収納体の素材が、合成樹脂、紙、皮革、布帛又は不織布のいずれかよりなることを特徴とする、請求項１記載のカード用収納体。
【請求項３】
前記収納体の開口部が、挿入カードの巾長さよりやや大とされていることを特徴とする、請求項１ないし請求項２記載のカード用収納体。
【請求項４】
前記収納体には、挿入カードが相対する当接部に達するまでに各々の二辺は、その円滑な挿入を促すための導入部を設けたことを特徴とする、請求項１ないし請求項３記載のカード用収納体。
【請求項５】
前記収納体の当接部の形成手段が、溶着、接着もしくは縫着によることを特徴とする、請求項１ないし請求項４記載のカード用収納体。
【発明の詳細な説明】
【０００１】
【発明の属する技術分野】本発明は、カード用収納体に係わり、詳しくは、主に、各種書類のファイル、ホルダー又はバッグ等に形成される、単葉で挿着される比較的厚みのあるカード用の略矩形状収納体に関する。
【０００２】
【従来の技術】近年、我国にあっては、金融機関をはじめ行政機関、医療機関等において、各種カードによる事務手続が増加する傾向にある。これに伴いファイル、ホルダー又はバッグ等に設けられた収納体（ポケット）からカードが携行または移送中に脱落し、紛失することが増えている。
【０００３】
そのために、ファイル、ホルダー等からのカード脱落、紛失防止を目的とした、各種の提案がなされている。その一例が図６に示す、特開平１０−５８８７６で、また別例が図７に示す、実開平７−２１３８４である。
【０００４】
特開平１０−５８８７６は、図６に示すように、ポケットの一方のシートに斜め方向の挿入口を形成し、この挿入口の隅部に、格納物を不用意に脱落させないための係合部Ｌを形成したものである。また、実開平７−２１３８４は、内蓋面を内側に、次に外蓋面を折り畳み、表面にカード８を入れる挿入窓９とカード８の抜け落ちを防止する抜け止め片１１とを設けたことを特徴としている。
【０００５】
【発明が解決しようとする課題】
しかしながら、上記従来のカードが脱落することを防止する手段は以下のような問題点を有する。即ち、特開平１０−５８８７６にあっては、挿入口の隅部の僅かの部分に係合部Ｌを形成しているので、カードの端部は確実に保持されることができにくい。また、実開平７−２１３８４の抜け止め片１１は、カードの出し入れが面倒でかつ、例えばその素材が紙の場合、使用頻度が増すことにより、抜け止め片１１はちぎれ落ちることになるという欠点がある。
【０００６】
本発明は、上述した従来技術の問題点等を解決し、挿着されたカードを確実に保持、固定する共に製作が容易で、その出し入れが簡便なカード用収納体を提供することを目的としている。
【０００７】
【課題を解決するための手段】
請求項１に係るカード用収納体は、比較的厚みのあるカード用の略矩形状収納体であって、略三辺を基体に閉塞して一辺を開口部とし、閉塞した相対する二辺の内側面に、挿入カードの外周面と接触し、これを保持する当接部を形成したことを特徴とするものである。
【０００７】
請求項２は、請求項１記載のカード用収納体にあって、収納体の素材が、合成樹脂、紙、皮革、布帛又は不織布のいずれかよりなることを特徴とするものである。
【０００８】
請求項３は、請求項１記載のカード用収納体にあって、収納体の開口部が、挿入カードの巾長さよりやや大とされていることを特徴とするものである。
【０００９】
請求項４は、請求項１記載のカード用収納体にあって、収納体には、挿入カードが相対する当接部に達するまでに各々の二辺は、その円滑な挿入を促すための導入部を設けたことを特徴とするものである。
【００１０】
請求項５は、請求項１記載のカード用収納体にあって、収納体の当接部の形成手段が、溶着、接着もしくは縫着によることを特徴とするものである。
【００１１】
【発明の実施の形態】以下、本発明に係る、カード用収納体（以下、収納体という）Ｐの好適な実施形態を、図面に示した実施例に基づいて説明する。図１は、医療機関において使用されるカルテホルダーＨに、収納体Ｐを形成した状態を示す一部切欠した平面図、図２は、収納体Ｐを形成する過程を説明する分離状態斜視図、図３は、図１の３−３線拡大平面図、図４は、収納体ＰにカードＣを挿入、保持した状態の平面図である。図５は、収納体Ｐを形成した他の実施例を示す平面図、図６及び図７は、従来例を示す斜視図である。
【００１２】
図１は、ポリプロピレン又は塩化ビニール等の合成樹脂からなるカルテホルダーＨであり、その表紙Ｈａの内面Ｈｂにシート体を側縁Ｈｃ及び底縁Ｈｄで溶着し、上方及び側方を開口した袋部Ｆが設けられ、収納体Ｐは例えば、シート体と同材質のポリプロピレンよりなり、袋部Ｆの左下方に、底部及び開口部中央の一部を残して三辺を熱溶着、超音波溶着又は高周波溶着によって形成されている。Ｋはカルテ等の書類で、Ｆ’は反対面表紙Ｈ’ａの内面Ｈ’ｂに設けられた袋部で、レントゲン写真Ｒ等が収納される。
【００１３】
図２は、収納体Ｐを袋部Ｆに形成する前と形成後（二点鎖線）の状態を示し、収納体Ｐは以下の工程で形成される。
【００１４】
まず、袋部Ｆと同材質のポリプロピレンを選定し、挿入されるカードＣよりやや大きめに裁断した、略矩形状のカバー体１をカルテホルダーＨの袋部Ｆの上面に載置し、図２及び図４に示すように、カバー体１の左側端部と底部を略Ｌ字状に、右側端部と底部を逆略Ｌ字状にそれぞれ超音波ウェルダー等により溶着２及び２’（ハッチング部分）して形成するものであり、２ａは、カードＣの挿入用の開口部で、２ｂ、２’ｂは直線部で、２ｃ、２’ｃはテーパ状の導入部でカードＣが円滑に当接部２ｄ及び２’ｄに到達するように形成され、図４に示すように、カードＣの外周端面Ｃｄ、Ｃ’ｄは、上記の当接部２ｄ及び２’ｄでそれぞれ適度に圧接されると共に、カードＣの上面Ｃａはカバー体１の下面１ａと接合し、カードＣは収納体Ｐに確実に保持される（図３、参照）。２ｅはカードＣを収納体Ｐの内方に挿入、２ｆは外方に押し出すための切欠部である。
【００１５】
図５は、収納体Ｐ’を形成する他の実施例で、袋部Ｆの素材が例えば、ポリプロピレンの場合、同材質のポリプロピレンを選定し、挿入されるカードＣ’よりやや大きめに裁断した、略矩形状のカバー体１０をカルテホルダーＨの袋部Ｆの上面に載置し、カバー体１０の左側端部と底部を略Ｌ字状に、右側端部と底部を逆略Ｌ字状にそれぞれ高周波等により溶着２０及び２０’（ハッチング部分）して形成するものであり、２０ａは、カードＣ’の挿入用の開口部で、２０ｂ、２０’ｂは直線部で、２０ｃ、２０’ｃは曲面状の導入部でカードＣ’が円滑に当接部２０ｄ及び２０’ｄに到達するように形成され、カードＣ’の外周端面Ｃｄ、Ｃ’ｄは、上記の当接部２０ｄ及び２０’ｄでそれぞれ適度に圧接され、カードＣ’は収納体Ｐ’に確実に保持される。
【００１６】
本発明に係る収納体Ｐについての上記、実施形態における構成と形態等は、その好適な一例であって、使用される素材及び対象物によって、カードＣの下方外周面Ｃｄ及びＣ’ｄを適度に圧接する当接部の形成手段は、熱溶着、超音波溶着又は高周波溶着等のほか、接着剤による接着、糸又は皮紐等による縫製など適宜選択されるものでありまた、寸法などは、本発明の趣旨を逸脱しない範囲内で適宜変更することができることはいうまでもない。
【００１７】
【発明の効果】
本発明に係る、カード用収納体Ｐは、上記の構成をもってなるから以下の効果を奏する即ち、▲１▼カードＣの下方外周面Ｃｄ、Ｃ’ｄを相対する二辺の当接部２ｄ、２’ｄで適度に圧接するので、カードＣは確実に保持、固定され、収納体Ｐから脱落、紛失することがない。▲２▼収納体Ｐの開口部２ａは、カードＣの巾長さより大とされているので、カードＣの挿入が容易でありまた、カバー体１には切欠部２ｅ、２ｆを設けているのでカードＣの出し入れが容易である。▲３▼カバー体１に導入部２ｃ、２’ｃがテーパ状に形成されているので、カードＣは簡便に収納体Ｐに挿着できる。▲４▼部品点数が少ないので収納体Ｐの形成は簡単でかつ、製作コストが安価である。
【００１８】
【図面の簡単な説明】
【図１】カルテホルダーＨに、収納体Ｐを形成した状態を示す一部切欠平面図である。
【図２】収納体Ｐを形成する過程を説明する分離状態斜視図である。
【図３】図１の３−３線拡大平面図である。
【図４】収納体ＰにカードＣを挿入、保持した状態の平面図である。
【図６】収納体Ｐを形成する他の実施例を示す平面図である。
【図７】従来例を示す斜視図である。
【図８】従来例を示す斜視図である。
【符号の説明】
Ｃ                      カード
Ｃａ                    カードＣの上面
Ｃｄ、Ｃｄ’            外周端面
Ｐ                      収納体
Ｈ                      ホルダー
Ｆ                      袋部
１                      カバー体
１ａ                    カバー体１の内面
２、２’                溶着部
２ａ                    開口部
２ｂ、２’ｂ            直線部
２ｃ、２’ｃ            導入部
２ｄ、２’ｄ            当接部
２ｅ、２ｆ              切欠部
【図１】
2004188153.tif 000003
【図３】
2004188153.tif 000004
【図２】
2004188153.tif 000005
【図４】
2004188153.tif 000006
【図５】
2004188153.tif 000007
【図６】
2004188153.tif 000008
【図７】
2004188153.tif 000009
【手続補正書】
【提出日】平成15年3月11日(2003.3.11)
【手続補正１】
【補正対象書類名】明細書
【補正対象項目名】図面の簡単な説明
【補正方法】変更
【補正の内容】
【図面の簡単な説明】
【図１】カルテホルダーＨに、収納体Ｐを形成した状態を示す一部切欠平面図である。
【図２】収納体Ｐを形成する過程を説明する分離状態斜視図である。
【図３】図１の３−３線拡大平面図である。
【図４】収納体ＰにカードＣを挿入、保持した状態の平面図である。
【図５】収納体Ｐを形成する他の実施例を示す平面図である。
【図６】従来例を示す斜視図である。
【図７】従来例を示す斜視図である。
【符号の説明】
Ｃ                    カード
Ｃａ                  カードＣの上面
Ｃｄ、Ｃｄ’          外周端面
Ｐ                    収納体
Ｈ                    ホルダー
Ｆ                    袋部
１                    カバー体
１ａ                  カバー体１の内面
２、２’              溶着部
２ａ                  開口部
２ｂ、２’ｂ          直線部
２ｃ、２’ｃ          導入部
２ｄ、２’ｄ          当接部
２ｅ、２ｆ            切欠部